(57)【要約】【課題】孔部から漏れた断熱材を容易に除去することが可能な断熱パネルを提供する。【解決手段】互いに間隔を保ちつつ対向配置された一対の表面板２３と、一対の表面板２３の周縁部に配された枠材３０と、一対の表面板２３及び枠材３０によって囲まれた内部空間２７に発泡充填された断熱材２５と、を備え、枠材３０の表面には、枠材３０の延設方向に沿って延びる凹部４５が形成され、凹部４５における一対の側面４５Ａは、枠材３０の延設方向に沿って延びる一対の突起部４３によってそれぞれ構成され、の突起部４３には、内部空間２７と凹部４５とを連通する孔部４６が形成されており、孔部４６における凹部４５側の開口４８は、突起部４３における先端面４３Ａと、突起部４３における側面４５Ａとの接続部分４３Ｄに設けられていることに特徴を有する。【選択図】図４
2019007712.tif 000002
【特許請求の範囲】
【請求項１】
互いに間隔を保ちつつ対向配置された一対の表面板と、
前記一対の表面板の周縁部に配された枠材と、
前記一対の表面板及び前記枠材によって囲まれた内部空間に発泡充填された断熱材と、を備え、
前記枠材の表面には、前記枠材の延設方向に沿って延びる凹部が形成され、
前記凹部における一対の側面は、前記枠材の延設方向に沿って延びる一対の突起部によってそれぞれ構成され、
前記一対の突起部のうち、少なくとも一方の突起部には、前記内部空間と前記凹部とを連通する孔部が形成されており、
前記孔部における前記凹部側の開口は、
前記一方の突起部における先端面と、前記一方の突起部における前記側面との接続部分に設けられている断熱パネル。
【請求項２】
前記孔部は、
前記内部空間と連通される内部側通路と、
一端側において前記開口と連通されると共に、他端側において前記内部側通路と連通される外部側通路と、を有しており、
前記内部側通路と前記外部側通路との接続部分は、段差状をなす請求項１に記載の断熱パネル。
【発明の詳細な説明】
【技術分野】
【０００１】
本発明は、断熱パネルに関する。
【背景技術】
【０００２】
従来、複数の断熱パネルを相互に組み付けることで箱形をなすプレハブ式貯蔵庫が知られている。このようなプレハブ式貯蔵庫に使用されている断熱パネルは、間隔を隔てて対向配置された一対の表面板と、その周縁部に配された合成樹脂製の枠材とからなる外殻体の中空部に断熱材が発泡充填されることで形成されている。外殻体の中空部内に発泡性の断熱材を注入・充填する作業の際には、外郭体の中空部内の空気及び断熱材の発泡により発生するガスによって中空部内に断熱材が充填されない場合がある。そこで、このような断熱材の未充填箇所の発生を防ぐために、ガス抜き用の孔部を設ける構成が知られている（下記特許文献１参照）。特許文献１の構成では枠材の外面に、他の断熱パネルの凸部が嵌合される凹部が形成されている。上述したガス抜き用の孔部は、凹部の底面において、幅方向における中央部に設けられている。
【先行技術文献】
【特許文献】
【０００３】
【特許文献１】特開２０１５−３１４４７号公報
【発明の概要】
【発明が解決しようとする課題】
【０００４】
上記特許文献１のようなガス抜き用の孔部を有する構成では、断熱材が孔部を通じて枠材の外部にわずかに漏れ、固化する。このため、漏れた断熱材を除去する作業が必要となる。上記特許文献１のように、孔部が凹部の底面に形成されている構成では、孔部から漏れた断熱材は、孔部を中心として凹部の底面に広がる形で配されてしまい、凹部から断熱材を取り除く作業が困難となってしまう。
【０００５】
本発明は上記のような事情に基づいて完成されたものであって、孔部から漏れた断熱材を容易に除去することが可能な断熱パネルを提供することを目的とする。
【課題を解決するための手段】
【０００６】
上記課題を解決するために、本発明の断熱パネルは、互いに間隔を保ちつつ対向配置された一対の表面板と、前記一対の表面板の周縁部に配された枠材と、前記一対の表面板及び前記枠材によって囲まれた内部空間に発泡充填された断熱材と、を備え、前記枠材の表面には、前記枠材の延設方向に沿って延びる凹部が形成され、前記凹部における一対の側面は、前記枠材の延設方向に沿って延びる一対の突起部によってそれぞれ構成され、前記一対の突起部のうち、少なくとも一方の突起部には、前記内部空間と前記凹部とを連通する孔部が形成されており、前記孔部における前記凹部側の開口は、前記一方の突起部における先端面と、前記一方の突起部における前記他方の突起部側の側面との接続部分に設けられていることに特徴を有する。上記構成によれば、断熱材を充填した際に、孔部の開口から漏れた断熱材が、凹部内において突起部の先端付近に配される。このため、漏れた断熱材が凹部の底面から漏れる場合と比較して、断熱材を容易に除去することができる。
【０００７】
また、前記孔部は、前記内部空間と連通される内部側通路と、一端側において前記開口と連通されると共に、他端側において前記内部側通路と連通される外部側通路と、を有しており、前記内部側通路と前記外部側通路との接続部分は、段差状をなすものとすることができる。断熱材を充填した際に、断熱材は、内部側通路及び外部側通路を通って、内部空間から凹部側に流動する。内部側通路と外部側通路との接続部分が段差状をなす構成とすれば、直線状をなす構成と比べて、断熱材が通路内を流動し難くなるから、断熱材が外部に漏れる事態を抑制できる。
【発明の効果】
【０００８】
本発明によれば、孔部から漏れた断熱材を容易に除去することが可能な断熱パネルを提供することができる。
【図面の簡単な説明】
【０００９】
【図１】本発明の一実施形態に係る断熱パネルを用いて構成されたプレハブ式貯蔵庫を示す斜視図
【図２】断熱パネルの正面図
【図３】断熱パネルの縦断面図
【図４】コーナ枠材を表側から視た斜視図
【図５】コーナ枠材を裏側から視た斜視図
【図６】コーナ枠材を第１壁部４１側から視た平面図
【図７】コーナ枠材及び発泡治具を示す断面図（図６のＶＩＩ−ＶＩＩ線で切断した図に対応）
【発明を実施するための形態】
【００１０】
本発明の一実施形態を図１から図７によって説明する。本実施形態に係るプレハブ式冷蔵庫の冷蔵庫本体１０は、図１に示すように、複数の断熱パネル２０を組み付けることで箱形に形成されている。冷蔵庫本体１０の前面壁には出入口となる開口部が形成され、開口部には、これを開閉するスライド扉１２が設けられている。断熱パネル２０としては、例えば、ルーフパネル１５とベースパネル（底面を形成、図示せず）、側面と前後面に配されるサイドパネル１７及び周壁の四つ角に配されるコーナパネル１９を例示することができる。
【００１１】
断熱パネル２０の構造について、サイドパネル１７を例にして説明する。図２及び図３に示すように、断熱パネル２０は、互いに間隔を保ちつつ対向配置された一対の表面板２３，２３と、表面板２３の周縁部に配され、一対の表面板２３，２３と共に外殻体２１を構成する枠材３０と、一対の表面板２３，２３及び枠材３０によって囲まれた内部空間２７に発泡充填された断熱材２５と、を備える。表面板２３は、例えば金属板とされ、枠材３０は、例えば硬質塩化ビニル等の合成樹脂成形品からなり、断熱材２５は、発泡樹脂からなる。なお、断熱パネル２０の形状は長方形状に限定されず適宜変更可能である。
【００１２】
枠材３０は、図２に示すように、直線状の外周枠材３１と、隣り合う２つの外周枠材３１，３１の端部同士を連結するコーナ枠材４０とからなっている。外周枠材３１は、例えば、押出成形によって成形されており、全長に亘って、凹凸を有する断面形状（図３参照）をなしている。図３に示すように、表面板２３の周端部は主面部に対して直角に曲げられており、外周枠材３１に形成された差込溝３３及び、コーナ枠材４０に形成された差込溝４０Ａ（図４参照）に差し込まれている。また、外周枠材３１の表面（断熱パネル２０の側面）には、図３に示すように、一対の凸条部３７，３７によって構成された凹条部が設けられている。この凹条部に、隣接する断熱パネル２０の凸条部（図示せず）が嵌合されることで、断熱パネル２０同士が連結される。また、断熱パネル２０の外殻体２１には、断熱材２５を注入するための注入孔（図示せず）が設けられている。
【００１３】
次に、コーナ枠材４０の構成について図２の左側のコーナ枠材４０を例示して説明する。コーナ枠材４０は、例えば射出成形によって成形されており、図４に示すように、平面視略Ｌ字形状に連結される第１壁部４１と、第２壁部５１と、を備える。また、第１壁部４１の側端部と第２壁部５１の側端部は、Ｌ字状をなす連結壁部４０Ｂによって連結されている。第１壁部４１の表面は、外周枠材３１の表面と共に断熱パネル２０の側面を構成するもので、外周枠材３１側の端部が相対的に低い段差部４２とされ、その段差部４２に外周枠材３１の端部が嵌合される。これにより、第１壁部４１の表面と外周枠材３１の表面とが面一をなす。なお、図４においては、外周枠材３１を２点鎖線で概略的に図示している。第２壁部５１の表面は、断熱パネル２０の側面を構成するもので、外周枠材３１側の端部が低い段差状をなす段差部５２とされ、その段差部５２に外周枠材３１の端部が嵌合される。
【００１４】
第１壁部４１の表面には、一対の突起部４３，４３が設けられている。一対の突起部４３，４３は、第１壁部４１と接続される外周枠材３１の延設方向（枠材の延設方向）に沿って延び、この外周枠材３１に設けられた一対の凸条部３７，３７（図３参照）に連なる構成とされる。第２壁部５１の表面には、一対の突起部５３，５３が設けられている。一対の突起部５３，５３は、第２壁部５１と接続される外周枠材３１の延設方向（枠材の延設方向）に沿って延び、この外周枠材３１に設けられた一対の凸条部（図示せず）に連なる構成とされる。突起部４３及び突起部５３は、Ｌ字状をなす形で連結されている。
【００１５】
また、第１壁部４１の表面には、第１壁部４１と接続される外周枠材３１の延設方向に沿って延びる凹部４５（溝部）が形成されている。凹部４５は、一対の突起部４３，４３に挟まれた箇所に設けられ、凹部４５における一対の側面４５Ａ，４５Ａは、一対の突起部４３，４３によってそれぞれ構成されている。なお、側面４５Ａは、図４及び図７に示すように、凹部４５の手前側（図７の上側）が奥側（底面４５Ｂに近い側）に比べて低い段差状をなしている。また、第２壁部５１の表面には、第２壁部５１と接続される外周枠材３１の延設方向に沿って延びる凹部５５が形成されている。凹部５５は、一対の突起部５３，５３に挟まれた箇所に設けられ、凹部５５における一対の側面５５Ａ，５５Ａは、一対の突起部５３，５３によってそれぞれ構成されている。
【００１６】
第１壁部４１の突起部４３には、図４に示すように、孔部４６が形成されている。孔部４６は、内部空間２７に断熱材２５が発泡充填される際に発生するガスを外部へ排出するためのガス抜き孔である。孔部４６は、図７に示すように、第１壁部４１を厚さ方向について貫通する形で形成されており、内部空間２７と凹部４５とを連通する構成とされる。孔部４６は、内部側通路４７及び外部側通路４９と、を有する。内部側通路４７は、内部空間２７と連通される通路である（図５も参照）。外部側通路４９は、その一端側（図７の上側）において、凹部４５側に開口された開口４８と連通される通路である。外部側通路４９は、その他端側において内部側通路４７と接続されており、外部側通路４９と内部側通路４７との接続部分５０は、段差状をなしている。
【００１７】
孔部４６における凹部４５側の開口４８は、図４に示すように、突起部４３における先端面４３Ａと、突起部４３における側面４５Ａ（他方の突起部４３側の側面）との接続部分４３Ｄに設けられている。つまり、開口４８は、先端面４３Ａと側面４５Ａの双方に亘って設けられている。また、図６に示すように、孔部４６は平面視において長方形状をなしており、一対の孔部４６，４６が、コーナ枠材４０の幅方向（図６の左右方向、断熱パネル２０の厚さ方向）に並ぶ形で配されている。また、孔部４６は、突起部４３において段差部４２寄りの箇所に形成されている。
【００１８】
次に、本実施形態の効果について説明する。本実施形態では、外殻体２１を組み立てた後、発泡治具で外殻体２１を保持し、外殻体２１の内部空間２７に断熱材２５の原料液を注入する。図７では、コーナ枠材４０を保持する押え治具６０を図示している。なお、図７では、表面板２３を図示省略してある。押え治具６０には、コーナ枠材４０を保持するための保持凹部６１が形成されている。押え治具６０にセットされた状態では、コーナ枠材４０の凹部４５の開口部が、保持凹部６１の底面によって覆われるものの、凹部４５には空間が確保されている。断熱材２５の原料液が発泡充填する際には、内部空間２７内の空気（もしくは、発泡前に気体を充填している場合にはその気体）及び発泡に伴って発生したガスが、孔部４６から凹部４５に排出される。また、発泡した断熱材２５の一部２５Ａは、孔部４６から外部に漏れる場合がある。
【００１９】
図７に示すように、本実施形態では、孔部４６の開口４８が突起部４３の先端面４３Ａから側面４５Ａに亘って設けられている。このような構成とすれば、断熱材２５を充填した際に、孔部４６の開口４８から漏れた断熱材２５の一部２５Ａは、開口４８から保持凹部６１の底面側に向かう形で延び、固化する。つまり、断熱材２５の一部２５Ａが凹部４５の底面４５Ｂから遠ざかる方向に向かい易くなる。これにより、断熱材２５の一部２５Ａが、凹部４５内において突起部４３の先端付近に配される。このため、漏れた断熱材２５が凹部４５の底面４５Ｂから漏れる場合と比較して、断熱材２５を容易に除去することができる。なお、固化された断熱材２５の一部２５Ａは、図７に示すように開口４８から延びる形状をなすため、比較的小さい外力によって、その根元から折ることができ、容易に除去することができる。
【００２０】
また、孔部４６は、内部側通路４７及び外部側通路４９を有し、内部側通路４７及び外部側通路４９は段差状をなす形で連結されている。このようにすれば、断熱材２５を充填した際に、断熱材２５は、内部側通路４７及び外部側通路４９を通って、内部空間２７から凹部４５側に流動する。内部側通路４７と外部側通路４９とが段差状をなす構成とすれば、直線状をなす構成と比べて、断熱材２５が通路内を流動し難くなるから、断熱材２５が外部に漏れる事態を抑制できる。
【００２１】
＜他の実施形態＞
本発明は上記記述及び図面によって説明した実施形態に限定されるものではなく、例えば次のような実施形態も本発明の技術的範囲に含まれる。
【００２２】
（１）上記実施形態では、断熱パネルとして、プレハブ式冷蔵庫に用いるものを例示したが、これに限定されない。断熱パネルは、例えば、プレハブ式冷蔵庫以外のプレハブ式貯蔵庫（冷凍庫、恒温高湿庫、クリーンルームなど）に用いることができる。
（２）上記実施形態では、ガス抜き用の孔部４６がコーナ枠材４０に形成されている構成を例示したが、これに限定されない。例えば、孔部４６が外周枠材３１に形成されていてもよい。
（３）上記実施形態では、一対の突起部４３，４３の各々に孔部４６が形成されている構成を例示したが、孔部４６は一方の突起部４３のみに設けられていてもよい。
（４）上記実施形態において、内部側通路４７と外部側通路４９の接続部分５０は段差状をなしていなくてもよく、例えば、直線状をなしていてもよい。
【符号の説明】
【００２３】
２０…断熱パネル、２３…表面板、２５…断熱材、２７…内部空間、３０…枠材、４３…突起部、４３Ａ…突起部における先端面、４３Ｄ…接続部分、４５…凹部、４５Ａ…側面（凹部における側面）、４６…孔部、４７…内部側通路、４８…孔部における凹部側の開口、４９…外部側通路、５０…接続部分（内部側通路と外部側通路との接続部分）
【図１】
2019007712.tif 000003
【図２】
2019007712.tif 000004
【図３】
2019007712.tif 000005
【図４】
2019007712.tif 000006
【図５】
2019007712.tif 000007
【図６】
2019007712.tif 000008
【図７】
2019007712.tif 000009